(57)【要約】【課題】薄型テレビを見映え良く設置することができると共に、従来は未利用空間であったテレビ設置部分の裏側も物品の収納に利用できる、簡単な構造で安全性の高い壁面収納ユニットを提供する。【解決手段】本発明の壁面収納ユニット１０は、壁面に設置され、前面に収納物を出し入れするための開口が設けられた筐体１２と、前記筐体１２の奥行きｄよりも長いアーム１４ａを有し、該アーム１４ａの先端に薄型テレビＴを取り付けるディスプレイ取付部１４ｂが設けられ且つ後端に壁面固定部１４ｃが設けられた薄型テレビ壁掛け金具１４とを具備すると共に、前記壁面固定部１４ｃを壁面に固定する際に、前記筐体１２の背板１２ｄが前記壁面固定部１４ｃと共に壁面に固定されることを特徴とする。【選択図】図１
2013005831.tif 000002
【特許請求の範囲】
【請求項１】
壁面に設置され、前面に収納物を出し入れするための開口が設けられた筐体と、
前記筐体の奥行きよりも長いアームを有し、該アームの先端に薄型テレビを取り付けるディスプレイ取付部が設けられ且つ後端に壁面固定部が設けられた薄型テレビ壁掛け金具とを具備すると共に、
前記壁面固定部を壁面に固定する際に、前記筐体の背板が前記壁面固定部と共に壁面に固定されることを特徴とする壁面収納ユニット。
【請求項２】
前記筐体の前面には、左右に移動して前記開口を開閉するスライド扉が設けられており、該スライド扉で前記開口を閉じた際に、筐体幅方向の略中央で突き合わされる左右一組の前記スライド扉の突き合せ部分には、前記薄型テレビ壁掛け金具のアームが通る開口部が設けられていることを特徴とする請求項１に記載の壁面収納ユニット。
【請求項３】
前記筐体が、壁面の高さと略同じ高さにて形成されると共に高さ方向にて複数の段部に分割されており、
前記筐体における前記薄型テレビ取り付け部分よりも下の段部には、その下端部が当該段部の底板前面に蝶着されて当該段部の開口を開閉するように起倒する扉板と、前記扉板の裏面を一方の側面とし、前記扉板を倒伏した際にその前面側が開口するポケット状の格納部とで構成された跳ね上げ式の開閉扉が取り付けられていることを特徴とする請求項１又は２に記載の壁面収納ユニット。
【発明の詳細な説明】
【技術分野】
【０００１】
本発明は、壁面に設置されて薄型テレビを保持すると共に様々な物品を収納する壁面収納ユニットに関する。
【背景技術】
【０００２】
近年、大型の薄型テレビ(受像機)が安価になってきており、このようなテレビが急速に普及している。そして、このような大型の薄型テレビの普及に伴ない、テレビが薄型であることの特性を活かして当該テレビをリビング等に見映え良く設置すると共に、当該テレビの設置に付随する様々な物品(例えば、ビデオやＤＶＤと云ったＡＶ機器など)も見映え良く収納できる壁面収納ユニットが種々開発されている。
【０００３】
例えば、特許第４４２４１０９号公報(特許文献１)には、前方が開口するとともに後方に背板を有し、この背板の前面側にテレビを取り付けるためのテレビ取付用パネルを備えてなるテレビ設置用スペースと、このテレビ設置用スペースの下部に出入り自在に挿入されるＡＶ機器収納部とを備えた壁面収納ユニットが開示されている。
【０００４】
これによれば、テレビ取付用パネルを有するテレビ設置スペースを設けることにより、テレビの周囲に収納を見映え良く配置することができるものの、テレビ設置部分の裏側(すなわちテレビ取付用パネルに取り付けられたテレビの裏側)には何も収納することができないため、当該壁面収納ユニット全体の収納量が減少すると云う問題が有った。
【０００５】
これに対して、実用新案登録第３１３９８６３号公報(特許文献２)には、水平状の基盤と、この基板上に立設された起立板と、この起立板の前面に設けられ、少なくとも一つの周面に開口部が設けられた筐体と、この筐体の前面に設けられ薄型テレビの背面を係止してこれを支持する支持面とを備えると共に、前記開口部から、前記筐体内に摺動自在に配置された抽斗を有する薄型テレビ設置用家具が開示されている。
【０００６】
これによれば、テレビ設置部分の裏側に様々な物品を収納できるようになるが、収納物が納められる抽斗を出し入れするためには、筐体周面の開口部が設けられた部分の周囲に（抽斗の出し入れの邪魔になるので）収納を設けることができない。つまり、この技術でも薄型テレビ設置場所周辺全体での収納量を増やすことは困難であった。加えて、筐体の前面に設けられた支持面で薄型テレビを係止する薄型テレビ設置用家具は、地震などの揺れによってテレビのみならず家具全体が転倒し易いため、このような家具を壁面に設置する際には別途、転倒防止金具等を用いて壁面に固定しなければならないと云う問題も有った。
【０００７】
一方、実用新案登録第３１４９１３０号公報(特許文献３)には、収納部を有する本体と、前記本体に備えられ、ディスプレイを保持するディスプレイ保持部とを有する収納キャビネットにおいて、ディスプレイ保持部は左右方向へスライド可能であることを特徴とする収納キャビネットが開示されている。
【０００８】
これによれば、収納部の前面に、薄型テレビを保持するディスプレイ保持部がスライド可能に設けられるので、テレビ設置部分の裏側やテレビの側方にも収納スペースを設けることが可能となる。しかしながら、この収納キャビネットを実現するためには、保持部のスライド機構が大型テレビの重量に耐えてスライドできるものでなければならず、相当強固なものが必要となるのに加え、ディスプレイ保持部がスライド可能なため該保持部に保持されたテレビに接続された各種配線が邪魔にならないような処理も必要となる。つまり、簡単な構造の収納キャビネットを提供することができないと云う問題が有った。更には、ディスプレイ保持部がスライドすることによってテレビの裏側の収納部が開放されて当該収納部への物品の出し入れが可能となるため、収納部にはディスプレイ保持部の幅の２倍以上のスライド幅が必要となり、幅の狭い収納キャビネットには対応できないと云う問題も有った。
【先行技術文献】
【特許文献】
【０００９】
【特許文献１】特許第４４２４１０９号公報
【特許文献２】実用新案登録第３１３９８６３号公報
【特許文献３】実用新案登録第３１４９１３０号公報
【発明の概要】
【発明が解決しようとする課題】
【００１０】
それゆえに本発明の主たる課題は、薄型テレビを見映え良く設置することができると共に、従来は未利用空間であったテレビ設置部分の裏側も物品の収納に利用できる、簡単な構造で安全性の高い壁面収納ユニットを提供することである。
【課題を解決するための手段】
【００１１】
本発明における第１の発明は、
（ａ）壁面に設置され、前面に収納物を出し入れするための開口が設けられた筐体１２と、
（ｂ）前記筐体１２の奥行きｄよりも長いアーム１４ａを有し、該アーム１４ａの先端に薄型テレビＴを取り付けるディスプレイ取付部１４ｂが設けられ且つ後端に壁面固定部１４ｃが設けられた薄型テレビ壁掛け金具１４とを具備すると共に、
（ｃ）前記壁面固定部１４ｃを壁面に固定する際に、前記筐体１２の背板１２ｄが前記壁面固定部１４ｃと共に壁面に固定される
（ｄ）ことを特徴とする壁面収納ユニット１０、である。
【００１２】
この発明では、筐体１２の奥行きｄよりも長いアーム１４ａを有する薄型テレビ壁掛け金具１４を用いているので、筐体１２における薄型テレビＴ設置部分の裏側も収納として利用することができる。また、薄型テレビ壁掛け金具１４の壁面固定部１４ｃを壁面に固定する際に、筐体１２の背板１２ｄが壁面固定部１４ｃと共に壁面に固定されているので、筐体１２の設置の際に別途転倒防止金具等を用いて壁面に固定しなくとも地震等の揺れによって壁面収納ユニット１０が転倒するのを防止することができる。
【００１３】
本発明における第２の発明は、上記第１の発明の壁面収納ユニット１０において、「筐体１２の前面には、左右に移動して開口を開閉するスライド扉１６が設けられており、該スライド扉１６で開口を閉じた際に、筐体１２幅方向の略中央で突き合わされる左右一組の前記スライド扉１６ｂ，１６ｃの突き合せ部分には、薄型テレビ壁掛け金具１４のアーム１４ａが通る開口部３４が設けられている」ことを特徴とするもので、これにより、筐体１２内部への物品の出し入れを行なう際以外には、当該スライド扉１６で筐体１２の開口を閉塞することによって、薄型テレビ壁掛け金具１４の壁面取付部分や薄型テレビＴに接続された各種配線などが表面から視認されないように隠すことができ、薄型テレビＴを設置した壁面収納ユニット１０の見映えを非常に良くすることができる。
【００１４】
本発明における第３の発明は、上記第１又は第２の発明の壁面収納ユニット１０において、「筐体１２が、壁面の高さと略同じ高さにて形成されると共に高さ方向にて複数の段部に分割されており、筐体１２における薄型テレビＴ取り付け部分よりも下の段部Ｄには、その下端部が当該段部Ｄの底板１２ｃ前面に蝶着されて当該段部Ｄの開口を開閉するように起倒する扉板１８ａと、前記扉板１８ａの裏面を一方の側面とし、扉板１８ａを倒伏した際にその前面側が開口するポケット状の格納部４８とで構成された跳ね上げ式の開閉扉１８が取り付けられている」ことを特徴とするもので、これにより、壁面収納ユニット１０の物品収納量を極大化させることができるのに加え、薄型テレビＴやこれに接続されたビデオやＤＶＤと云ったＡＶ機器などのリモコン、或いはデジタルカメラや携帯電話等の充電器などの様に、仕舞い勝手の悪い物品を格納部４８に収納することで、これら物品を見映え良く収納し且つディスプレイすることができるようになる。
【発明の効果】
【００１５】
本発明の壁面収納ユニットによれば、薄型テレビを見映え良く設置することができると共に、従来は未利用空間であったテレビ設置部分の裏側も物品の収納に利用できる、簡単な構造で安全性の高い壁面収納ユニットを提供することができる。
【図面の簡単な説明】
【００１６】
【図１】本発明の壁面収納ユニットの一例を示す説明図で、（ａ）は平面図、（ｂ）は正面図、（ｃ）は右側面図を表す。
【図２】本発明の一実施例の壁面収納ユニットの正面図(スライド扉の全てを正面視左側に寄せて且つ開閉扉を開放した状態を表す)である。
【図３】スライド扉の取り付け構造の一例を示す参考図である。
【発明を実施するための形態】
【００１７】
以下、本発明を図示実施例に従って説明する。図１は、本発明の壁面収納ユニット１０の一例を示す説明図である。本発明の壁面収納ユニット１０は、壁面に設置されて薄型テレビＴを保持すると共に様々な物品を見映え良く収納するためのもので、筐体１２、薄型テレビ壁掛け金具１４、および必要に応じて設けられるスライド扉１６や開閉扉１８などで大略構成されている。
【００１８】
筐体１２は、左右に離間して配置された側板１２ａ、天板１２ｂ、底板１２ｃ及び背板１２ｄで構成され、前面が開口した矩形の枠組みである。この筐体１２の側板１２ａ、天板１２ｂ、底板１２ｃ及び背板１２ｄを構成する各板材は、挽材、合板、木質繊維板(インシュレーションボード[ＩＢ]，中質繊維板[ＭＤＦ]等)、木削片板(パーティクルボード、ストランドボード、配向性ストランドボード[ＯＳＢ]等)、集成材及び単板積層材などを単独或いはこれらを任意複合した材料などで形成されており、その表面は、必要に応じて、化粧紙，化粧樹脂含浸紙，化粧合成樹脂シート及び化粧単板等からなる化粧材を貼着することによって、或いは着色塗装，柄模様印刷及び透明塗装などを施すことによって装飾・保護されている。なお、本実施例の壁面収納ユニット１０で用いる板材は、上記以外の部分で使用するものも含めて全て上記材料によって構成されている。
【００１９】
本実施例の壁面収納ユニット１０では、側板１２ａの幅(すなわち、筐体１２の奥行きｄから後述するスライド扉１６の厚みを除いた幅)を、ＤＶＤや音楽ＣＤなどのソフトや文庫本等を収納できる最小限のサイズ(具体的には２００ｍｍ程度)とし、室内に圧迫感を与えないようにしている。
【００２０】
また、本実施例の壁面収納ユニット１０では、この筐体１２が壁面の高さと略同じ高さにて形成されると共に、高さ方向にて複数の段部、すなわち上部ボックスＵ、中段ボックスＭ及び下部ボックスＤの三つに分割して構成されている(図１(c)参照)。
【００２１】
上部ボックスＵは、幅方向略中央部に中仕切り板２０が立設されており、この中仕切り板２０の表面と側板１２ａの内表面には、前後一組のダボ穴２２が高さ方向に多数段穿設されており、このダボ穴２２にダボ２４を埋め込み、棚板となるインサイドボード２６の両端部を支持するようになっている。
【００２２】
中段ボックスＭは、その前面に薄型テレビが設置される部分で、その幅方向略中央部には、薄型テレビ取付部分となる空間１２ｅを開けて左右一対の中仕切り板２８が立設されており、この中仕切り板２８と側板１２ａとが互いに対面する側の表面には、上部ボックスＵと同様に、前後一組のダボ穴２２が高さ方向に多数段穿設されており、このダボ穴２２にダボ２４を埋め込み、棚板となるインサイドボード２６の両端部を支持するようになっている。
【００２３】
また、左右一対の中仕切り板２８で仕切られた空間１２ｅの奥部には、背板１２ｄを補強するように補強板３０が取り付けられている。このような補強板３０を設けることによって、後述する薄型テレビ壁掛け金具１４の壁面固定部を壁面に固定する際、筐体１２の背板１２ｄもこの壁面固定部と共に壁面に固定されるが、地震などの揺れによって背板１２ｄと壁面固定部との間に集中する応力を緩和させることができる。その結果、地震などで大きな揺れが生じた際に背板１２ｄが割れて筐体１２が倒壊するのを防止することができる。
【００２４】
そして、この中段ボックスＭと上述した上部ボックスＵとの前面には、後述するスライド扉１６が取り付けられている。
【００２５】
下部ボックスＤは、筐体１２の最下段を構成する部分であり、その幅方向略中央部分の天板１２ｂ後端部と背板１２ｄが切り欠かれており、筐体１２内外に配線などを通すことができるようになっている。
【００２６】
また、この下部ボックスＤの天板の上面には、筐体１２の奥行きｄよりも長い奥行きで構成され、ビデオデッキやＤＶＤレコーダーなどのＡＶ機器が載置可能なデッキ棚板３２が取り付けられており、前面の開口には、後述する開閉扉１８が蝶着されている。
【００２７】
薄型テレビ壁掛け金具１４は、薄型テレビＴを壁掛けすると共に、筐体１２の前方に配設するための金具であり、筐体１２の奥行きｄよりも長いアーム１４ａを有し、該アーム１４ａの先端に薄型テレビＴが取付け・固定されるディスプレイ取付部１４ｂが設けられ、後端に平板状の壁面固定部１４ｃが設けられている。そして、この薄型テレビ壁掛け金具１４は、壁面固定部１４ｃにアンカーボルトなどの固定部材１４ｄを打ち付けることによって壁面に強固に固定されるが、その際、筐体１２の背板１２ｄがこの壁面固定部１４ｃと共に壁面に固定されるようになっている。なお、上記アーム１４ａとして首振りや伸縮可能なものを用いるようにしても良い。
【００２８】
スライド扉１６は、上述したように上部ボックスＵと中段ボックスＭとの前面開口を開閉する引き戸タイプの扉で、本実施例では、筐体１２の幅方向に配設された４枚の扉板１６ａ〜１６ｄで構成されている。また、この扉板１６ａ〜１６ｄのうち、筐体１２幅方向の略中央で突き合わされる左右一組の前記扉板１６ｂ及び１６ｃの突き合せ部分には、後述する薄型テレビ壁掛け金具１４のアーム１４ａが通る開口部３４が設けられている。
【００２９】
このスライド扉１６は、図３に示すようなスライド装置３６を用いて筐体１２の前面にスライド可能にて取り付けられている。ここで、図示実施例の場合、このスライド装置３６が、上部ボックスＵの天板１２ｂ上面における前端縁に沿って固定され、前後に２列のレール部が設けられた上部レール３６ａと、中段ボックスＭの底板１２ｃ下面における前端縁に沿って固定され、前後に２列のレール部が設けられた下部レール３６ｂと、略Ｌ字状のアーム３８の一片側が扉板１６ｂ，１６ｃの裏面上端部に固定され、他片の先端部に設けられた(回転軸が鉛直方向を向いた)コロが上部レール３６ａの奥側のレール部に係合する外用上ローラー３６ｃと、略Ｌ字状のアーム４０の一片側が扉板１６ａ，１６ｄの裏面上端部に固定され、他片の先端部に設けられた(回転軸が鉛直方向を向いた)コロが上部レール３６ａの手前側のレール部に係合する内用上ローラー３６ｄと、略鉤状のアーム４２の長片(胴軸)側が扉板１６ｂ，１６ｃの裏面下端部に固定され、前記長片に対面する短片(鉤先)の先端部に設けられた(回転軸が水平方向を向いた)コロが下部レール３６ｂの奥側のレール部に係合する外用下ローラー３６ｅと、段付板状のアーム４４の一片側が扉板１６ａ，１６ｄの裏面下端部に固定され、前記一片に平行する他片の先端部に設けられた(回転軸が水平方向を向いた)コロが下部レール３６ｂの手前側のレール部に係合する内用下ローラー３６ｆとで構成されている。
【００３０】
開閉扉１８は、筐体１２の下部ボックスＤ前面の開口を開閉する跳ね上げ式の扉で、当該開口を覆う一枚の扉板１８ａを有する。この扉板１８ａの下端部は下部ボックスＤの底板１２ｃ前面に蝶着されており、扉板１８ａが下部ボックスＤ前面の開口を開閉するように起倒する。また、この扉板１８ａの裏面における幅方向両端部には、扉板１８ａと下部ボックスＤの側板１２ａとを連結するダンパー４６が取り付けられている。さらに、この扉板１８ａの裏側には、扉板１８ａの裏面を一方の側面とし、扉板１８ａを倒伏した際にその前面側が開口するポケット状の格納部４８が設けられている。なお、この格納部４８の凹部底面には、スリット状の開口４８ａが設けられており、格納部４８に収納した充電器の配線などが当該開口４８ａから引き出せるようになっている。
【００３１】
以上のように構成された本実施例の壁面収納ユニット１０によれば、筐体１２の奥行きｄよりも長い長さＬにて形成されたアーム１４ａを有する薄型テレビ壁掛け金具１４を用いているので、筐体１２における薄型テレビＴ設置部分の裏側も収納として利用することができる。また、薄型テレビ壁掛け金具１４の壁面固定部１４ｃを、固定部材１４ｄを用いて壁面に固定する際に、筐体１２の背板１２ｄが壁面固定部１４ｃと共に壁面に固定されているので、筐体１２の設置の際に別途転倒防止金具等を用いて壁面に固定しなくとも地震等の揺れによって壁面収納ユニット１０が転倒するのを防止することができる。
【００３２】
また、筐体１２の前面には、左右に移動して開口を開閉するスライド扉１６が設けられており、該スライド扉１６で開口を閉じた際に、筐体１２幅方向の略中央で突き合わされる左右一組の扉板１６ｂ，１６ｃの突き合せ部分には、薄型テレビ壁掛け金具１４のアーム１４ａが通る開口部３４が設けられているので、筐体１２内部への物品の出し入れを行なう際以外には、当該スライド扉１６で筐体１２の開口を完全に閉塞することによって、薄型テレビ壁掛け金具１４の壁面取付部分や薄型テレビＴに接続された各種配線などが表面から視認されないように隠すことができ、薄型テレビＴを設置した壁面収納ユニット１０の見映えを非常に良くすることができる。
【００３３】
さらに、筐体１２が、壁面の高さと略同じ高さにて形成されると共に高さ方向にて複数の段部(すなわち上部ボックスＵ、中段ボックスＭ及び下部ボックスＤの三段)に分割されており、筐体１２における薄型テレビＴ取り付け部分よりも下の段部(すなわち下部ボックス)Ｄには、その下端部が下部ボックスＤの底板１２ｃ前面に蝶着されて当該下部ボックスＤの開口を開閉するように起倒する扉板１８ａと、この扉板１８ａの裏面を一方の側面とし、扉板１８ａを倒伏した際にその前面側が開口するポケット状の格納部４８とで構成された跳ね上げ式の開閉扉１８が取り付けられているので、これにより、壁面収納ユニット１０の物品収納量を極大化させることができるのに加え、薄型テレビＴやこれに接続されたビデオやＤＶＤと云ったＡＶ機器などのリモコン、或いはデジタルカメラや携帯電話等の充電器などの様に、仕舞い勝手の悪い物品を格納部４８に収納することで、見映え良く収納してディスプレイすることができるようになる。
【符号の説明】
【００３４】
１０…壁面収納ユニット
１２…筐体
１２ａ…側板
１２ｂ…天板
１２ｃ…底板
１２ｄ…背板
１２ｅ…(薄型テレビ壁掛け金具取付け用の)空間
１４…薄型テレビ壁掛け金具
１４ａ…アーム
１４ｂ…ディスプレイ取付部
１４ｃ…壁面固定部
１４ｄ…固定部材
１６…スライド扉
１６ａ〜１６ｄ…扉板
１８…開閉扉
１８ａ…扉板
２０…中仕切り板
２２…ダボ穴
２４…ダボ
２６…インサートボード
２８…中仕切り板
３０…補強板
３２…デッキ棚板
３４…(スライド扉の)開口部
３６…スライド装置
４６…ダンパー
４８…格納部
Ｔ…薄型テレビ
Ｕ…上部ボックス
Ｍ…中段ボックス
Ｄ…下部ボックス
【図２】
2013005831.tif 000003
【図３】
2013005831.tif 000004
【図１】
2013005831.tif 000005